(57)【要約】【課題】蓄電池が盗難される危険性を低減した屋外照明装置を提供する。【解決手段】屋外照明装置１０は、灯具３１および灯具３１を支持する支持部３２を有する複数の屋外照明３０と、少なくとも１つの蓄電池を有し、少なくとも１つの蓄電池に蓄電された電力により複数の屋外照明３０を同時に点灯させることが可能な蓄電池ユニット２１と、蓄電池ユニット２１を格納する筐体１５とを備える。【選択図】図２
2015158985.tif 000002
【特許請求の範囲】
【請求項１】
各々が、灯具と、屋外に設けられて前記灯具を支持する支持部とを有する複数の屋外照明と、
少なくとも１つの蓄電池を有し、前記少なくとも１つの蓄電池に蓄電された電力を前記複数の屋外照明に供給して前記複数の屋外照明を同時に点灯させることが可能な蓄電池ユニットと、
前記複数の屋外照明とは別体として設けられる、前記蓄電池ユニットを格納する筐体とを備える
屋外照明装置。
【請求項２】
さらに、前記蓄電池ユニットが格納された前記筐体の盗難を阻害する盗難阻害部を備える
請求項１に記載の屋外照明装置。
【請求項３】
前記筐体は、所定の位置に設置され、
前記盗難阻害部は、前記筐体を前記所定の位置に固定する固定構造である
請求項２に記載の屋外照明装置。
【請求項４】
前記筐体は、所定の位置に設置され、
前記盗難阻害部は、前記筐体が前記所定の位置から動かされた場合に発信する発信機である
請求項２に記載の屋外照明装置。
【請求項５】
さらに、発電により前記蓄電池ユニットを充電する発電部を備える
請求項１〜４のいずれか１項に記載の屋外照明装置。
【請求項６】
前記発電部は、太陽電池を有する
請求項５に記載の屋外照明装置。
【請求項７】
さらに、
前記蓄電池ユニットの劣化および前記灯具の劣化の少なくとも一方を劣化情報として検出する検出部と、
前記劣化情報の送信を行う第一通信部とを備える
請求項１〜６のいずれか１項に記載の屋外照明装置。
【請求項８】
前記複数の屋外照明のそれぞれは、
当該屋外照明が有する前記灯具の劣化を前記劣化情報として検出する前記検出部と、
当該屋外照明以外の前記屋外照明と前記劣化情報の送受信を行う前記第一通信部とを有する
請求項７に記載の屋外照明装置。
【請求項９】
前記複数の屋外照明のうちの少なくとも１つの屋外照明は、携帯電話の基地局またはリレー局に前記劣化情報を送信する第二通信部を備える
請求項８に記載の屋外照明装置。
【請求項１０】
さらに、前記蓄電池ユニットから所定の電力を供給して前記複数の屋外照明を点灯させる第一モードの制御と、前記蓄電池ユニットから前記所定の電力よりも少ない電力を供給して前記複数の屋外照明を点灯させる第二モードの制御とを選択的に実行する制御部を備える
請求項１〜８のいずれか１項に記載の屋外照明装置。
【請求項１１】
前記制御部は、前記蓄電池ユニットの蓄電残量に応じて前記第一モードの制御と前記第二モードの制御とを選択的に実行する
請求項１０に記載の屋外照明装置。
【請求項１２】
前記制御部は、前記第二モードの制御において、少なくとも１つの前記屋外照明の出力を低下させる
請求項１１に記載の屋外照明装置。
【請求項１３】
前記制御部は、前記第二モードの制御において、少なくとも１つの前記屋外照明を消灯させる
請求項１２に記載の屋外照明装置。
【請求項１４】
前記制御部は、前記第二モードの制御において、前記複数の屋外照明のうち所定範囲の外に位置する前記屋外照明の出力を低下させる
請求項１０〜１３のいずれか１項に記載の屋外照明装置。
【請求項１５】
前記制御部は、前記第二モードの制御において、前記複数の屋外照明のうち交差点を含む前記所定範囲の外に位置する前記屋外照明の出力を低下させる
請求項１４に記載の屋外照明装置。
【請求項１６】
各々が、灯具と、屋外に設けられて前記灯具を支持する支持部とを有する複数の屋外照明と、
少なくとも１つの蓄電池を有し、前記少なくとも１つの蓄電池に蓄電された電力を前記複数の屋外照明に供給して前記複数の屋外照明を同時に点灯させることが可能な蓄電池ユニットと、
前記複数の屋外照明とは別体として設けられた、前記蓄電池ユニットを格納する筐体とを備える
屋外照明システム。
【発明の詳細な説明】
【技術分野】
【０００１】
本発明は、蓄電池を電源に用いた屋外照明装置および屋外照明システムに関する。
【背景技術】
【０００２】
発光ダイオード（ＬＥＤ：Ｌｉｇｈｔ  Ｅｍｉｔｔｉｎｇ  Ｄｉｏｄｅ）等の半導体発光素子は、高効率で省スペースな光源として各種の照明装置に広く利用されている。例えば、ＬＥＤを用いた道路灯が知られている。
【０００３】
ところで、新興国においては、インフラ整備が不十分であることに起因して、停電が生じる頻度が高い地域がある。夜間に停電により道路灯が消灯してしまうことは、交通事故や犯罪の増加など治安の悪化につながるため好ましくない。
【先行技術文献】
【特許文献】
【０００４】
【特許文献１】特開２００５−５６８０７号公報
【発明の概要】
【発明が解決しようとする課題】
【０００５】
これに対し、蓄電池を電源に用いたＬＥＤ街灯が知られている（例えば、特許文献１参照）。特許文献１に記載のＬＥＤ街灯は、停電時においても蓄電池に蓄電された電力を用いて点灯することができる。しかしながら、特許文献１に記載のＬＥＤ街灯においては、移動や移設を容易にするために１つのＬＥＤ街灯に１つの小さな蓄電池が設けられており、蓄電池が盗難される危険性が高い。
【０００６】
そこで、本発明は、蓄電池が盗難される危険性が低減された屋外照明装置および屋外照明システムを提供する。
【課題を解決するための手段】
【０００７】
本発明の一態様に係る屋外照明装置は、各々が、灯具と、屋外に設けられて前記灯具を支持する支持部とを有する複数の屋外照明と、少なくとも１つの蓄電池を有し、前記少なくとも１つの蓄電池に蓄電された電力を前記複数の屋外照明に供給して前記複数の屋外照明を同時に点灯させることが可能な蓄電池ユニットと、前記複数の屋外照明とは別体として設けられる、前記蓄電池ユニットを格納する筐体とを備える。
【０００８】
また、さらに、前記蓄電池ユニットが格納された前記筐体の盗難を阻害する盗難阻害部を備えてもよい。
【０００９】
また、前記筐体は、所定の位置に設置され、前記盗難阻害部は、前記筐体を前記所定の位置に固定する固定構造であってもよい。
【００１０】
また、前記筐体は、所定の位置に設置され、前記盗難阻害部は、前記筐体が前記所定の位置から動かされた場合に発信する発信機であってもよい。
【００１１】
また、さらに、発電により前記蓄電池ユニットを充電する発電部を備えてもよい。
【００１２】
また、前記発電部は、太陽電池を有してもよい。
【００１３】
また、さらに、前記蓄電池ユニットの劣化および前記灯具の劣化の少なくとも一方を劣化情報として検出する検出部と、前記劣化情報の送信を行う第一通信部とを備えてもよい。
【００１４】
また、前記複数の屋外照明のそれぞれは、当該屋外照明が有する前記灯具の劣化を前記劣化情報として検出する前記検出部と、当該屋外照明以外の前記屋外照明と前記劣化情報の送受信を行う前記第一通信部とを有してもよい。
【００１５】
また、前記複数の屋外照明のうちの少なくとも１つの屋外照明は、携帯電話の基地局またはリレー局に前記劣化情報を送信する第二通信部を備えてもよい。
【００１６】
また、さらに、前記蓄電池ユニットから所定の電力を供給して前記複数の屋外照明を点灯させる第一モードの制御と、前記蓄電池ユニットから前記所定の電力よりも少ない電力を供給して前記複数の屋外照明を点灯させる第二モードの制御とを選択的に実行する制御部を備えてもよい。
【００１７】
また、前記制御部は、前記蓄電池ユニットの蓄電残量に応じて前記第一モードの制御と前記第二モードの制御とを選択的に実行してもよい。
【００１８】
また、前記制御部は、前記第二モードの制御において、少なくとも１つの前記屋外照明の出力を低下させてもよい。
【００１９】
また、前記制御部は、前記第二モードの制御において、少なくとも１つの前記屋外照明を消灯させてもよい。
【００２０】
また、前記制御部は、前記第二モードの制御において、前記複数の屋外照明のうち所定範囲の外に位置する前記屋外照明の出力を低下させてもよい。
【００２１】
また、前記制御部は、前記第二モードの制御において、前記複数の屋外照明のうち交差点を含む前記所定範囲の外に位置する前記屋外照明の出力を低下させてもよい。
【００２２】
本発明の一態様に係る屋外照明システムは、各々が、灯具と、屋外に設けられて前記灯具を支持する支持部とを有する複数の屋外照明と、少なくとも１つの蓄電池を有し、前記少なくとも１つの蓄電池に蓄電された電力を前記複数の屋外照明に供給して前記複数の屋外照明を同時に点灯させることが可能な蓄電池ユニットと、前記複数の屋外照明とは別体として設けられた、前記蓄電池ユニットを格納する筐体とを備える。
【発明の効果】
【００２３】
本発明によれば、蓄電池の盗難の危険性が低減された屋外照明装置および屋外照明システムが実現される。
【図面の簡単な説明】
【００２４】
【図１】図１は、従来の屋外照明装置を説明するための模式図である。
【図２】図２は、実施の形態１に係る屋外照明装置を説明するための模式図である。
【図３】図３は、実施の形態１に係る屋外照明装置の機能構成を示すブロック図である。
【図４】図４は、実施の形態１に係る盗難阻害部の動作を説明するための図である。
【図５】図５は、筐体の固定構造として実現される盗難阻害部を説明するための図である。
【図６】図６は、図５のＡ−Ａ線の断面図である。
【図７】図７は、劣化の通知処理を示す模式図である。
【図８】図８は、複数の屋外照明のそれぞれに検出部および第一通信部が設けられた屋外照明装置の機能構成を示すブロック図である。
【図９】図９は、複数の屋外照明のそれぞれに検出部および第一通信部が設けられる場合の劣化の通知処理の具体例を示す模式図である。
【図１０】図１０は、節電モードを説明するための第１の図である。
【図１１】図１１は、節電モードを説明するための第２の図である。
【発明を実施するための形態】
【００２５】
以下、実施の形態に係る屋外照明装置および屋外照明システムについて、図面を参照しながら説明する。なお、以下に説明する各実施の形態は、本発明の一具体例を示すものである。したがって、以下の各実施の形態で示される、数値、形状、材料、構成要素、構成要素の配置位置および接続形態などは、一例であって本発明を限定する主旨ではない。よって、以下の各実施の形態における構成要素のうち、本発明の最上位概念を示す独立請求項に記載されていない構成要素については、任意の構成要素として説明される。
【００２６】
なお、各図は模式図であり、必ずしも厳密に図示されたものではない。また、各図において、実質的に同一の構成に対しては同一の符号を付しており、重複する説明は省略または簡略化される場合がある。
【００２７】
（実施の形態１）
［全体構成］
まず、実施の形態１に係る屋外照明装置の全体構成について、従来の屋外照明装置と対比しながら説明する。図１は、従来の屋外照明装置を説明するための模式図である。図２は、実施の形態１に係る屋外照明装置を説明するための模式図である。
【００２８】
図１に示される従来の屋外照明装置５０は、複数の屋外照明６０を備える。屋外照明６０のそれぞれは、灯具６１および灯具６１を支持する支持部６２と、ソーラーパネル６３と、蓄電池ユニット５１とを有する。
【００２９】
屋外照明装置５０においては、屋外照明６０のそれぞれにおいて、ソーラーパネル６３が太陽光エネルギーを電気エネルギーに変換し、当該電気エネルギーによって蓄電池ユニット５１が充電される。そして、屋外照明６０は、当該屋外照明６０が有する蓄電池ユニット５１に充電された電力により点灯する。
【００３０】
このように、屋外照明装置５０においては、蓄電池ユニット５１は、屋外照明６０のそれぞれに対応して個別に設けられている。つまり、１つの蓄電池ユニット５１は、１つの屋外照明６０を点灯するために用いられる。
【００３１】
このため、蓄電池ユニット５１は、出力および容量が比較的小さく、大きさおよび重量についても比較的小さい。したがって、蓄電池ユニット５１は、容易に持ち運ぶことができ、盗難される危険性が高い。
【００３２】
一方、図２に示される実施の形態１に係る屋外照明装置１０は、複数の屋外照明３０と、電源装置２０とを備える。
【００３３】
屋外照明３０のそれぞれは、灯具３１および灯具３１を支持する支持部３２を有し、電源装置２０が有する１つの蓄電池ユニット２１から電力供給を受ける。なお、屋外照明３０のそれぞれは、電源ケーブルによって電源装置２０と有線接続されている。
【００３４】
電源装置２０は、複数の屋外照明３０を同時に点灯させることが可能な蓄電池ユニット２１と、蓄電池ユニット２１を格納する筐体１５と、ソーラーパネル２３とを備える。電源装置２０は、複数の屋外照明３０とは別体として、例えば、地面に設けられる。
【００３５】
屋外照明装置１０においては、ソーラーパネル２３が太陽光エネルギーを電気エネルギーに変換し、当該電気エネルギーによって蓄電池ユニット２１が充電される。そして、屋外照明３０のそれぞれは、１つの蓄電池ユニット２１に充電された電力により点灯する。
【００３６】
このように、屋外照明装置１０においては、蓄電池ユニット２１は、複数の屋外照明３０に対して１つ設けられ、共用される。つまり、１つの蓄電池ユニット２１は、複数の屋外照明３０を点灯させるために用いられる。
【００３７】
このため、蓄電池ユニット２１は、蓄電池ユニット５１に比べて出力および容量が大きく、大きさおよび重量についても必然的に蓄電池ユニット５１よりも大きくなる。したがって、蓄電池ユニット２１は、持ち運びが難しく、盗難される危険性が低い。つまり、蓄電池ユニット２１は、蓄電池ユニット５１よりも盗難の危険性が低減されているといえる。
【００３８】
また、屋外照明装置１０では、屋外照明の数が同じであれば、屋外照明装置５０よりも蓄電池ユニット２１の数が少なくて済む。したがって、屋外照明装置１０には、蓄電池ユニット２１に盗難防止対策（詳細については、後述する）を施す場合に、盗難防止対策の対象となる蓄電池ユニット２１の数が少ないため、盗難防止対策の手間および費用が抑制される利点がある。
【００３９】
［詳細構成］
次に、屋外照明装置１０の詳細な構成について上記図２と図３とを用いて説明する。図３は、屋外照明装置１０の機能構成を示すブロック図である。
【００４０】
図３に示されるように、屋外照明装置１０（屋外照明システム）は、電源装置２０と、複数の屋外照明３０とを備える。なお、「屋外照明システム」とは、設置後、稼動している状態の屋外照明装置１０を意味し、以下では、屋外照明装置１０について説明されるが、屋外照明システムについても同様の構成となる。
【００４１】
まず、屋外照明３０について説明する。図２に示されるように、屋外照明３０は、灯具３１と、支持部３２とを備える。
【００４２】
屋外照明３０は、いわゆる街灯（道路灯）であって、道路や公園など屋外での使用が想定される照明である。屋外照明３０は、１つの電源装置２０に対して１６台〜２０台接続される。
【００４３】
灯具３１は、光源としてＬＥＤが用いられた灯具である。灯具３１の形状は、球状や、スクエア状など、どのような形状であってもよい。また、灯具３１に用いられる光源は、ＬＥＤに限定されず、半導体レーザ等の半導体発光素子、または、有機ＥＬ（Ｅｌｅｃｔｒｏ  Ｌｕｍｉｎｅｓｃｅｎｃｅ）もしくは無機ＥＬ等のＥＬ素子等の他の種類の固体発光素子を仕様した光源が採用されてもよい。また、灯具３１に用いられる光源として、ＨＩＤランプや、ハロゲンランプ等が採用されてもよい。
【００４４】
支持部３２は、灯具３１を所定の高さの位置に支持する支柱である。なお、支持部３２は、灯具３１を支持する部材や構造物であれば、どのようなものであってもよい。
【００４５】
次に、電源装置２０について説明する。電源装置２０は、筐体１５（図２において図示）と、蓄電池ユニット２１と、発電部２８と、制御部２４と、検出部２５と、第一通信部２６と、盗難阻害部２７とを備える。
【００４６】
筐体１５は、電源装置２０の外郭を構成する筐体（電池格納体）である。電源装置２０の構成要素は、ソーラーパネル２３をのぞいて、原則的には筐体１５に格納される。例えば、筐体１５は、蓄電池ユニット２１を格納する。なお、筐体１５の形状や、材質は特に限定されるものではない。
【００４７】
蓄電池ユニット２１は、電気エネルギーを貯蔵・放出する能力を有する装置である。蓄電池ユニット２１は、複数の蓄電池２２を有し、複数の蓄電池２２に蓄電された電力（蓄電電力）により当該蓄電池ユニット２１に電気的に接続された全ての複数の屋外照明３０を同時に点灯させることが可能な電源である。
【００４８】
なお、蓄電池ユニット２１は、高出力かる大容量な１つの蓄電池２２によって構成されてもよい。つまり、蓄電池ユニット２１は、少なくとも１つの蓄電池２２を有し、少なくとも１つの蓄電池２２に蓄電された電力により複数の屋外照明３０を同時に点灯させることが可能であればよい。
【００４９】
蓄電池２２は、具体的には、鉛蓄電池、リチウムイオン電池、およびレドックスフロー電池等の二次電池である。
【００５０】
発電部２８は、発電により蓄電池ユニット２１を充電する。実施の形態１では、発電部２８は、ソーラーパネル２３（太陽電池）を有し、太陽光エネルギーを電気エネルギーに変換し、当該電気エネルギーによって蓄電池ユニット２１を充電する。なお、発電部２８は、ソーラーパネル２３を用いた構成に限定されるものではない。例えば、発電部２８は、風力や地熱など、太陽光以外の自然エネルギーを用いて発電を行ってもよい。
【００５１】
制御部２４は、電源装置２０の制御を行う。また、制御部２４は、通常モード（第一モード）の制御と、節電モード（第二モード）の制御とを実行する。節電モードの制御は、通常モードの制御よりも少ない供給電力により複数の屋外照明３０を点灯させる制御であり、このような節電モードの制御の詳細については、後述する。
【００５２】
検出部２５は、蓄電池ユニット２１の劣化（故障）および灯具３１（ＬＥＤ）の劣化（故障）の少なくとも一方を劣化情報として検出する。検出部２５は、実施の形態１では、蓄電池ユニット２１から出力される電流値を検出する電流検出部である。なお、蓄電池ユニット２１の劣化とは、例えば、蓄電池ユニット２１の充電容量の低下や、蓄電池ユニット２１の定格出力の低下などを意味する。灯具３１の劣化とは、灯具３１に含まれる光源の輝度の低下や、灯具３１に含まれる光源の不点を意味する。
【００５３】
第一通信部２６は、検出部２５が検出した劣化情報の送信を行う。実施の形態１では、第一通信部２６は、セルラー通信により携帯電話の基地局またはリレー局に劣化情報を送信する。なお、第一通信部２６は、Ｚｉｇｂｅｅ（登録商標）やＷｉ−Ｆｉ（登録商標）などの近距離無線通信を行ってもよい。この場合、第一通信部２６は、所定の範囲内に位置する屋外照明３０に対して劣化情報を送信する。
【００５４】
以上、検出部２５および第一通信部２６について説明した。屋外照明装置１０における、検出部２５および第一通信部２６を用いた劣化の通知処理の詳細については、後述する。
【００５５】
［盗難阻害部］
次に、盗難阻害部２７について、図４を用いて具体的に説明する。実施の形態１では、盗難阻害部２７は、筐体１５（または蓄電池ユニット２１）が所定の位置から動かされた場合に発信する発信機である。図４は、盗難阻害部２７の動作を説明するための図である。
【００５６】
盗難阻害部２７は、具体的には、筐体１５の位置を検出する位置検出部と、ブザーとを有する。そして、筐体１５が所定の位置４０に設置されている状態（図４の（ａ））から動かされた場合（図４の（ｂ））、盗難阻害部２７を構成するブザーは、位置検出部の検出結果に基づいて鳴動（出音）する。
【００５７】
これにより、筐体１５内の蓄電池ユニット２１が盗難される可能性をさらに低減することができる。
【００５８】
なお、上記は盗難阻害部２７の一例であり、盗難阻害部２７は、上記のような態様に限定されるものではない。
【００５９】
例えば、上記位置検出部の位置検出には、どのような方法が用いられてもよい。具体的には、位置検出部には、所定位置付近に設けられた検出用磁石からの磁束を検出してオンまたはオフ動作をする磁気近接スイッチを用いる方法や、光学センサを用いる方法、振動センサを用いる方法、メカセンサを用いる方法などが適用できる。
【００６０】
また、「盗難阻害部２７の発信」は、音や光を含む電磁波を発信することを意味し、一例として上述のように音を発する。したがって、例えば、盗難阻害部２７は、警告灯などの光源を有し、筐体１５が所定の位置から動かされた場合に光を発してもよい。
【００６１】
また、盗難阻害部２７は、無線通信により屋外照明装置１０の管理者（管理者の情報通信端末）に、筐体１５が所定の位置から動かされたことを示す情報を送信してもよい。さらに、例えば、盗難阻害部２７が、ＧＰＳモジュールを有し、蓄電池ユニット２１に設けられれば、盗難された蓄電池ユニット２１を追跡することも可能である。
【００６２】
なお、盗難阻害部は、筐体１５を所定の位置に固定する固定構造であってもよい。図５は、筐体１５の固定構造として実現される盗難阻害部を説明するための図である。図６は、図５のＡ−Ａ線の断面図である。
【００６３】
図５に示される盗難阻害部２７ａは、開口が設けられた板状部２７２と、当該開口に挿入されることによって筐体１５を固定する杭２７１（固定部材）とを有する。
【００６４】
図６に示されるように、板状部２７２は、筐体１５が設置される設置面に沿うように筐体１５に設けられる。杭２７１が板状部２７２に設けられた開口を通じて地面に突き刺されることによって、筐体１５は、杭２７１の頭によって所定の位置に固定される。
【００６５】
これにより、筐体１５内の蓄電池ユニット２１が盗難される可能性をさらに低減することができる。
【００６６】
なお、盗難阻害部２７ａは、固定構造として実現される盗難阻害部の一例であり、固定構造として実現される盗難阻害部は、盗難阻害部２７ａのような態様に限定されるものではない。
【００６７】
例えば、盗難阻害部２７ａは、鎖であり、筐体１５に巻きつけられることによって筐体１５を所定の位置に固定してもよい。また、杭２７１以外の固定部材によって筐体１５が固定されてもよい。
【００６８】
以上、盗難阻害部の具体例について説明した。このように、屋外照明装置１０に盗難阻害部が設けられることにより、筐体１５内の蓄電池ユニット２１が盗難される可能性をさらに低減することができる。
【００６９】
なお、電源装置２０が盗難される危険性を低減するその他の方法としては、ソーラーパネル２３を外部に露出させた状態で電源装置２０を埋設することなどが考えられる。
【００７０】
［劣化の通知処理１］
次に、検出部２５および第一通信部２６を用いた灯具３１の劣化の通知処理について上記図３および図７を用いて説明する。図７は、灯具３１の劣化の通知処理を示す模式図である。
【００７１】
図３に示されるように、検出部２５は、蓄電池ユニット２１から各屋外照明３０に電力供給をしている状態で、供給される電流が各屋外照明３０に対応して分岐した後のポイントＰ１〜Ｐ４において電流を検出する。
【００７２】
例えば、ポイントＰ２〜Ｐ４の各ポイントにおいては、所定範囲内の電流が検出されているが、ポイントＰ１のみで所定範囲外の電流が検出されている場合が考えられる。例えば、屋外照明Ｌ１の灯具３１が故障している場合、ポイントＰ１に電流は流れないため、ポイントＰ１において電流が所定範囲よりも低下する。
【００７３】
このような場合、検出部２５は、ポイントＰ１を通じて電力が供給される屋外照明３０である屋外照明Ｌ１の灯具３１が劣化（故障）していると判断する。なお、灯具３１内の回路等に不具合がある場合、電流が所定範囲を超える場合も考えられ、このような場合も検出部は、灯具３１が劣化（故障）していると判断する。
【００７４】
このように、検出部２５が屋外照明Ｌ１の灯具３１の劣化を劣化情報として検出した場合（図７の（ａ））、検出された劣化情報は、制御部２４を介して第一通信部２６に出力され、第一通信部２６は、劣化情報を携帯電話の基地局７０に送信する（図７の（ｂ））。そして、劣化情報は、基地局７０から屋外照明３０の管理者８０に送信される（図７の（ｃ））。
【００７５】
広大な範囲にわたって屋外照明３０が多数設置される場合、屋外照明３０のメンテナンスは容易でない。そして、点灯しない状態の屋外照明３０が放置されることは、治安の面から好ましくない。これに対し、上述のような検出部２５および第一通信部２６を用いた屋外照明３０の劣化の検出によれば、メンテナンスの手間および費用を大幅に削減することができる。
【００７６】
また、第一通信部２６のように携帯電話の通信網のような既存の基幹通信網を利用して劣化情報の送受信を行うことは、新たなインフラを整備する必要がない利点がある。
【００７７】
なお、上記灯具３１の劣化の通知処理の説明では、一例として電流を検出する例について説明した。しかしながら、灯具３１に含まれる光源の輝度を測定する方法など、灯具３１の劣化の検出には、どのような方法が用いられてもよい。
【００７８】
なお、上述の劣化通知処理では、検出部２５は、灯具３１の劣化を検出したが、蓄電池ユニット２１（蓄電池２２）の劣化（故障）を検出してもよい。すなわち、検出部２５は、蓄電池ユニット２１の劣化および灯具３１の劣化の少なくとも一方を劣化情報として検出すればよい。
【００７９】
例えば、検出部２５は、十分に充電された蓄電池ユニット２１から電力供給が指示されている状態で、検出ポイントＰ１〜Ｐ４の全てにおいて電流が検出されない（または、検出された電流が所定値よりも低い）場合、蓄電池ユニット２１が故障していると判断することができる。なぜなら、屋外照明Ｌ１〜Ｌ４が一斉に故障する可能性は低いからである。
【００８０】
また、検出部２５は、蓄電池ユニット２１の充電容量の低下や、蓄電池ユニット２１の出力の低下に基づいて蓄電池ユニット２１の劣化を劣化情報として検出してもよい。なお、検出された劣化情報は、灯具３１の劣化情報と同様に、第一通信部２６によって基地局７０に送信され、最終的には管理者８０に送信される。
【００８１】
このような検出部２５および第一通信部２６を用いた蓄電池ユニット２１の劣化の検出によれば、蓄電池ユニット２１のメンテナンスの手間および費用を大幅に削減することができる。
【００８２】
［劣化の通知処理２］
検出部および第一通信部は、電源装置２０ではなく、複数の屋外照明３０のそれぞれに設けられてもよい。以下、複数の屋外照明３０のそれぞれに検出部が設けられる場合の劣化の通知処理について説明する。図８は、複数の屋外照明のそれぞれに検出部および第一通信部が設けられた屋外照明装置の機能構成を示すブロック図である。
【００８３】
図８に示される屋外照明装置１０ａは、電源装置２０ａと、複数の屋外照明３０ａおよび３０ｂを備える。電源装置２０ａは、筐体１５（図８においては図示せず）と、蓄電池ユニット２１と、発電部２８と、盗難阻害部２７とを備える蓄電池ユニット２１は複数の蓄電池２２を備え、発電部２８は、ソーラーパネル２３を備える。
【００８４】
屋外照明３０ａは、屋外照明３０と同様に灯具３１および支持部３２とを備え、さらに検出部３３と、第一通信部３４とを備える。屋外照明３０ｂは、屋外照明３０ａが備える構成要素に加えて、さらに第二通信部３５を備える。
【００８５】
検出部３３は、検出部３３が設けられた屋外照明３０ａ（または屋外照明３０ｂ）が有する灯具３１の劣化を、劣化情報として検出する。検出部３３は、例えば、検出部３３が設けられた屋外照明が有する灯具３１に含まれる光源に流れる電流に基づいて、灯具３１の劣化を検出する。
【００８６】
第一通信部３４は、Ｚｉｇｂｅｅ（登録商標）やＷｉ−Ｆｉ（登録商標）などの近距離無線通信によって他の屋外照明３０ａ（または屋外照明３０ｂ）が有する第一通信部３４と劣化情報の送受信を行う。
【００８７】
第二通信部３５は、セルラー通信により携帯電話の基地局７０に劣化情報を送信する。
【００８８】
このように、屋外照明装置１０ａが備える複数の屋外照明のうちの少なくとも１つの屋外照明は、携帯電話の基地局７０に劣化情報を送信する第二通信部３５を備える。以下、このような構成の屋外照明装置１０ａおける劣化の通知処理の具体例について、図９を用いて説明する。図９は、劣化の通知処理の具体例を示す模式図である。
【００８９】
図９の（ａ）は、屋外照明３０ｂにおいて灯具３１の劣化が検出された場合の劣化の通知処理を示す図である。この場合、屋外照明３０ｂは、第二通信部３５を備えているため、第二通信部３５によって劣化情報を直接基地局７０に送信する。そして、劣化情報は、基地局７０から管理者８０に送信される。
【００９０】
図９の（ｂ）は、屋外照明３０ａにおいて灯具３１の劣化が検出された場合の劣化の通知処理を示す第１の図である。この場合、屋外照明３０ａは、第二通信部３５を備えていないため、第一通信部３４によって当該屋外照明３０ａの近くに位置する屋外照明３０ｂの第一通信部３４に近距離無線通信によって劣化情報を送信する。なお、この場合の屋外照明３０ｂには、他の屋外照明装置１０ａを構成する屋外照明３０ｂが含まれる。
【００９１】
その後、劣化情報は、屋外照明３０ｂの第二通信部３５のセルラー通信によって基地局７０に送信され、基地局から管理者８０に送信される。
【００９２】
なお、この場合、灯具３１の劣化が検出された屋外照明３０ａの第一通信部３４は、他の屋外照明３０ａの第一通信部３４に劣化情報を送信してもよい。つまり、少なくとも１回以上の屋外照明３０ａ（第一通信部３４）同士の近距離無線通信が繰り返された後、最終的に屋外照明３０ｂに劣化情報が送信されてもよい。この場合の「他の屋外照明３０ａ」には、他の屋外照明装置１０ａを構成する屋外照明３０ａが含まれる。
【００９３】
図９の（ｃ）は、屋外照明３０ａにおいて灯具３１の劣化が検出された場合の劣化の通知処理を示す第２の図である。この場合、灯具３１の劣化が検出された屋外照明３０ａの第一通信部３４は、他の屋外照明３０ａ（他の屋外照明装置１０ａを構成する屋外照明３０ａを含む）の第一通信部３４に劣化情報を送信する。
【００９４】
少なくとも１回以上の屋外照明３０ａ（第一通信部３４）同士の近距離無線通信が繰り返された後、最終的に管理者８０に劣化情報が近距離無線通信によって送信される。つまり、セルラー通信（第二通信部３５）を用いることなく、劣化情報が管理者に送信される。
【００９５】
上記のような検出部３３、第一通信部３４、および第二通信部３５を用いた屋外照明３０ａ（屋外照明３０ｂ）の劣化の検出によれば、蓄電池ユニット２１のメンテナンスの手間および費用を大幅に削減することができる。
【００９６】
特に、上記図９の（ｂ）および（ｃ）の場合、複数設けられる屋外照明を利用して劣化情報がリレー伝送されており、導入コストが低いという利点がある。
【００９７】
なお、上記図９の（ｂ）および（ｃ）の場合において、一の屋外照明３０ａが次にどの屋外照明３０ａに劣化情報を送信するかについて（一の屋外照明３０ａから最終的に管理者８０に到達するまでの劣化情報の送信ルート）は、例えば、予め定められているものとする。
【００９８】
［節電モード］
次に、屋外照明装置１０の節電モードについて詳細に説明する。図１０は、屋外照明装置１０の節電モードを説明するための第１の図である。
【００９９】
屋外照明装置１０の制御部２４は、蓄電池ユニット２１の蓄電残量（充電残量）に応じて通常モードの制御と節電モードの制御とを選択的に実行する。
【０１００】
制御部２４は、例えば、蓄電池ユニット２１（蓄電池２２）の蓄電残量が所定値よりも大きい場合は、通常モードの制御を実行する。具体的には、図１０の（ａ）に示されるように、通常モードの制御においては、制御部２４は、蓄電池ユニット２１から所定の電力を供給して屋外照明装置１０を構成する全ての屋外照明３０を点灯させる。
【０１０１】
一方、制御部２４は、蓄電池ユニット２１の蓄電残量が所定値以下の場合には、節電モードの制御を実行する。具体的には、図１０の（ｂ）に示されるように、節電モードの制御においては、制御部２４は、複数の屋外照明３０のうち交差点を含む所定範囲４１の外に位置する屋外照明３０を消灯（出力を低下）させる。図１０の（ｂ）に示される例では、制御部２４は、複数の屋外照明３０を間引いて点灯させており、節電モードにおける蓄電池ユニット２１からの供給電力は、通常モードにおける蓄電池ユニット２１からの供給電力よりも小さい。
【０１０２】
このように、制御部２４は、蓄電残量が所定値以下となった場合に、交通量の多い場所および交通事故の発生しやすい場所（例えば、交差点、急カーブ、高速道路の出入り口など）に位置する屋外照明３０のみを優先して点灯させる。これにより、交通事故の発生を抑制することができる。
【０１０３】
なお、制御部２４のモード切り替え動作は、このような態様に限定されるものではない。例えば、制御部２４は、通常モードの制御と節電モードの制御とを季節に応じて切り替えてもよい。図１１は、屋外照明装置１０の節電モードを説明するための第２の図である。
【０１０４】
図１１の例では、制御部２４は、雨季以外のシーズンにおいて、通常モード（図１１の（ａ））の制御を行う。雨季以外のシーズンにおいては、日射量が確保される、すなわち、ソーラーパネル２３によって蓄電池ユニット２１の蓄電残量が確保されると考えられるためである。
【０１０５】
これに対し、雨季においては、日射量が低下して蓄電池ユニット２１の蓄電残量が確保しづらいと考えられるため、制御部２４は、節電モードの制御（図１１の（ｂ））を行う。この場合、制御部２４は、道路の直線区間沿いの所定範囲４２に位置する複数の屋外照明３０を間引いて点灯させる。
【０１０６】
このように、交通事故の発生頻度が低いと考えられる場所（例えば、道路の直線区間）に位置する屋外照明３０のみを節電モードの対象とすることで、交通事故の発生を抑制しつつ効率的に節電することができる。
【０１０７】
なお、節電モードにおいては、制御部２４は、少なくとも１つの屋外照明３０の出力を通常モードよりも低下させればよく、必ずしも複数の屋外照明３０を間引いて点灯させる（点灯させる屋外照明３０の数を減らす）必要はない。例えば、制御部２４は、節電モードにおいては、全ての屋外照明３０の輝度を通常モードよりも低下（調光）させてもよい。
【０１０８】
なお、通常モードと節電モードとの切り替えは、日付、曜日、および時間帯などに応じて行われてもよい。また、制御部２４は、第一通信部２６を通じて天気予報の情報や、交通情報を取得し、これらの情報に基づいて通常モードと節電モードとを切り替えてもよい。
【０１０９】
例えば、制御部２４は、取得した交通情報に基づいて渋滞していると考えられる地域においては、本来節電モードの制御が行われる状態であっても通常モードの制御を行う、といった制御を行ってもよい。
【０１１０】
（その他の実施の形態）
以上、本発明に係る屋外照明装置および屋外照明システムについて、実施の形態に基づいて説明したが、本発明は、上記実施の形態に限定されるものではない。
【０１１１】
上記実施の形態では、屋外照明装置は、発電部を備えるものとして説明されたが、発電部は、必須の構成要素ではない。例えば、複数の屋外照明は、通常、商用系統から供給される電力によって点灯し、停電時のみ蓄電池ユニットの電力によって点灯するような構成が考えられるが、このような場合、発電部は不要である。
【０１１２】
また、上記実施の形態において、検出部が電源装置および屋外照明のいずれの機器に設けられてもよいと説明されたように、屋外照明装置において各構成要素の割り当ては任意である。例えば、屋外照明装置において、制御部のみが電源装置および屋外照明のいずれの機器とも異なる独立した機器として実現されてもよい。また、例えば、本発明は、上記実施の形態で説明した電源装置として実現されてもよい。
【０１１３】
上記実施の形態では、電源装置は、屋外照明に電力供給を行ったが、電源装置は、交通照明（交通信号）に電力供給をしてもよい。つまり、本発明は、交通信号にも適用可能であり、屋外照明には交通信号が含まれる。
【０１１４】
また、本発明の全般的または具体的な態様は、システム、方法、集積回路、コンピュータプログラムまたは記録媒体で実現されてもよい。また、本発明の全般的または具体的な態様は、システム、方法、集積回路、コンピュータプログラムおよび記録媒体の任意な組み合わせで実現されてもよい。
【０１１５】
その他、上記実施の形態に対して当業者が思いつく各種変形を施して得られる形態、または、本発明の趣旨を逸脱しない範囲で上記実施の形態における構成要素および機能を任意に組み合わせることで実現される形態も本発明に含まれる。
【符号の説明】
【０１１６】
１０、１０ａ、５０  屋外照明装置（屋外照明システム）
１５  筐体
２０、２０ａ  電源装置
３０、３０ａ、３０ｂ、６０  屋外照明
２１、５１  蓄電池ユニット
２２  蓄電池
２３、６３  ソーラーパネル（太陽電池）
２４  制御部
２５、３３  検出部
２６、３４  第一通信部
２７、２７ａ  盗難阻害部
２８  発電部
３１、６１  灯具
３２、６２  支持部
３５  第二通信部
４０  所定の位置
４１、４２  所定範囲
７０  基地局
【図１】
2015158985.tif 000003
【図２】
2015158985.tif 000004
【図３】
2015158985.tif 000005
【図４】
2015158985.tif 000006
【図５】
2015158985.tif 000007
【図６】
2015158985.tif 000008
【図７】
2015158985.tif 000009
【図８】
2015158985.tif 000010
【図９】
2015158985.tif 000011
【図１０】
2015158985.tif 000012
【図１１】
2015158985.tif 000013